(57)【要約】【課題】磁気損傷や埃等の外部的要因によってデータが損失することなく、デッキが不要であり超小型化および軽量化が達成でき、長時間再生が可能であり、書き込み、消去が可能であり、雑音に強く、使用者の所望するデータが容易に得られ、磁気媒体またはディスク媒体の代替品として使用できる、音声及び映像信号の記録／再生装置及び記録／再生方法を提供すること。【解決手段】音声及び映像信号を記録するデータ記録装置と、音声及び映像信号を再生するデータ再生装置と、前記データ記録装置を介してデータを貯蔵し、該貯蔵されたデータを前記データ再生装置を通して出力する分離可能な貯蔵手段とを有する。【選択図】図１
2008259249.tif 000002
【特許請求の範囲】
【請求項１】
オーディオおよびビデオ信号のうちの少なくとも１つを記録および再生する記録および再生装置であって、
オーディオおよびビデオデータのうちの少なくとも１つを格納する分離可能な格納部と、
複数の動作モードのうちの１つを指定するモード信号を受信するデータ再生装置であって、該分離可能な格納部が該データ再生装置に取り付けられている場合に該モード信号に基づいて該分離可能な格納部からオーディオおよびビデオデータのうちの少なくとも１つを再生するデータ再生装置と、
該データ再生装置から該モード信号を受信するデータ記録装置であって、該分離可能な格納部が該データ記録装置に取り付けられている場合に該モード信号に基づいて該分離可能な格納部へと該オーディオおよびビデオデータのうちの少なくとも１つを記録するデータ記録装置と
を備える、記録および再生装置。
【請求項２】
前記分離可能な格納部は、
データを格納するメモリアレイと、
該メモリアレイの領域を特定するためのアドレスを生成するアドレス生成部と、
該メモリアレイに格納されたデータに対して入力／出力操作を実行するデータインタフェース部と、
該アドレス生成部および該データインタフェース部を制御する制御部と
を備える、請求項１に記載の記録および再生装置。
【請求項３】
前記分離可能な格納部に電力を供給する電源をさらに備える、請求項２に記載の記録および再生装置。
【請求項４】
前記データ再生装置は、
キーによる入力の機能に従って、複数の動作モードのうちの１つを指定する前記モード信号を生成するキー付き入力部と、
該モード信号に従って入力信号をエンコードおよびデコードするマイコンであって、該モード信号を前記データ記録装置に伝送するマイコンと、
該マイコンから出力されるオーディオ信号をフィルタリングするフィルタ部と、
該マイコンの出力に従って検索されたデータを表示するデータディスプレイ部と
を備える、請求項１に記載の記録および再生装置。
【請求項５】
前記マイコンは、前記分離可能な格納部が前記データ記録装置に取り付けられている場合に該データ記録装置に前記モード信号を伝送する、請求項４に記載の記録および再生装置。
【請求項６】
前記マイコンは、前記モード信号が記録モードであると判定された場合に、圧縮アルゴリズムを介して前記入力信号をエンコードし、該エンコードされた入力信号を前記分離可能な格納部に格納する、請求項４に記載の記録および再生装置。
【請求項７】
前記マイコンは、前記モード信号が再生モードであると判定された場合に、メモリデータにアクセスするためのアドレス信号および制御信号を生成し、前記分離可能な格納部からデータを読み出し、該データをデコードする、請求項４に記載の記録および再生装置。
【請求項８】
前記マイコンは、前記モード信号が検索モードであると判定された場合に、前記分離可能な格納部から各データの開始／終了およびオーディオ情報を含むコンテンツテーブルを読み出す、請求項４に記載の記録および再生装置。
【請求項９】
前記マイコンから出力されるビデオデータをデジタル／アナログ変換するビデオ信号デジタル／アナログ変換部と、
該ビデオ信号デジタル／アナログ変換部から出力されるビデオデータを表示するディスプレイ部と
をさらに備える、請求項４に記載の記録および再生装置。
【請求項１０】
前記フィルタ部は、
前記マイコンから出力されるオーディオ左チャンネル信号をフィルタリングする第１のローパスフィルタと、
該マイコンから出力されるオーディオ右チャンネル信号をフィルタリングする第２のローパスフィルタと
を備える、請求項４に記載の記録および再生装置。
【請求項１１】
前記データ記録装置は、
前記マイコンから受信される前記モード信号に従ってモードおよびデータを選択するデータ選択部と、
該データ選択部の出力に従ってクロックおよび制御信号を生成するシステム制御部と、
該システム制御部の制御に従って、入力アナログ信号をデジタル信号に変換し、該変換により生成されたデジタル信号を圧縮するデータ圧縮部と、
該システム制御部の制御に従ってメモリ制御信号およびアドレス信号を生成するメモリ制御部と、
該メモリ制御部の制御に従って、該データ圧縮部により出力される圧縮されたデータを格納するメモリと、
該システム制御部の制御に従って、該メモリと前記分離可能な格納部との間でデータ入力／出力操作を実行するインタフェース部と
を備える、請求項１に記載の記録および再生装置。
【請求項１２】
前記システム制御部は、前記データ選択部が記録モードに設定されている場合に、前記入力アナログ信号が前記メモリに記録されるように、前記データ圧縮部と前記メモリ制御部とを制御する、請求項１１に記載の記録および再生装置。
【請求項１３】
前記システム制御部は、前記データ選択部が再生モードに設定されている場合に、前記メモリから取得されるデータが前記分離可能な格納部に記録されるように、前記メモリ制御部と前記インタフェース部とを制御する、請求項１１に記載の記録および再生装置。
【請求項１４】
前記システム制御部は、前記データ選択部が再生モードに設定されている場合に、前記分離可能な格納部から取得されるデータが前記メモリに記録されるように、前記メモリ制御部と前記インタフェース部とを制御する、請求項１１に記載の記録および再生装置。
【請求項１５】
前記システム制御部は、前記データ選択部が検索モードに設定されている場合に、前記メモリから取得される開始／終了およびオーディオ情報を含むコンテンツテーブルが前記データ再生装置に表示されるように、前記メモリ制御部と前記インタフェース部とを制御する、請求項１１に記載の記録および再生装置。
【請求項１６】
データ再生装置とデータ記録装置とを備えている記録および再生装置を制御する方法であって、
該方法は、
複数の動作モードのうちの１つの動作モードを指定するモード信号を受信するステップと、
該モード信号から該１つの動作モードを判定するステップと、
該モード信号が記録モードであると判定された場合に、圧縮アルゴリズムを介して入力信号をエンコードし、該エンコードされた入力信号を該分離可能な格納部に格納するステップと、
該モード信号が再生モードであると判定された場合に、メモリデータにアクセスするためのアドレス信号および制御信号を生成し、該分離可能な格納部からデータを読み出し、該データをデコードするステップと、
該モード信号が検索モードであると判定された場合に、該分離可能な格納部から各データの開始／終了およびオーディオ情報を含むコンテンツテーブルを読み出すステップと
を包含する、方法。
【請求項１７】
データ再生装置とデータ記録装置とを備えている記録および再生装置を制御する方法であって、
該方法は、
複数の動作モードのうちの１つの動作モードを指定するモード信号を受信するステップと、
該モード信号から該１つの動作モードを判定するステップと、
該モード信号が記録モードであると判定された場合に、入力信号をメモリに記録するステップと、
該モード信号が再生モードであると判定された場合に、該メモリから取得されるデータを分離可能な格納部に記録するか、または、該分離可能な格納部から取得されるデータを該メモリに記録するステップと、
該モード信号が検索モードであると判定された場合に、該メモリから取得される開始／終了およびオーディオ情報を含むコンテンツテーブルを表示するステップと
を包含する、方法。
【発明の詳細な説明】
【技術分野】
【０００１】
本発明は、圧縮された音声データ及び画像データを記録、再生し得る音声及び
映像信号の記録／再生装置及びその方法に関し、特にメモリカードのような移動
式貯蔵用メモリを使用して、別の編集装置なしに所望の音声及び映像が容易に得
られる音声及び映像信号の記録／再生装置及びその方法に関する。
【背景技術】
【０００２】
通常の音声及び映像信号の記録／再生装置では、磁気媒体やディスク媒体等を
使用する。
【発明の開示】
【発明が解決しようとする課題】
【０００３】
しかしながら、磁気媒体又はディスク媒体では、磁気損傷や挨等の外部的要因
によりデータが損失する可能性があった。また、駆動のためのデッキが必要であ
るが、その体積及び重量が大きくなるので、使用者が携帯用として使用するには
不便であった。さらに、画像編集時に二つの機器を使用して編集しなければなら
ないという不便があった。
【０００４】
本発明は上記課題を解決するためになされたものであり、その目的とするとこ
ろは、大容量のメモリを使用してデータを圧縮伸長して貯蔵し、メモリカードの
ように分離可能なメモリを用いることで、使用者が、必要とするデータを選択し
て容易に編集でき、かつ分離可能なメモリカードを他の機器に装着して再生でき
る、音声および映像信号の記録／再生装置及びその方法を提供することである。
【課題を解決するための手段】
【０００５】
本発明による音声及び映像信号の記録／再生装置は、音声及び映像信号を記録
するデータ記録装置と、音声及び映像信号を再生するデータ再生装置と、前記デ
ータ記録装置を介してデータを貯蔵し、該貯蔵されたデータを前記データ再生装
置を通して出力する分離可能な貯蔵手段とを有しており、そのことにより上記目
的が達成される。
【０００６】
前記データ再生装置は、キー操作による機能に応じてモードを選択するキー入
力手段と、該キー入力手段から出力される信号に基づいて、入力される信号を符
号化及び復号化するマイコンと、該マイコンから出力されるオーディオ信号をフ
ィルタリングするフィルタ手段と、該マイコンから出力される信号に応じて、検
索された情報を表示する情報ディスプレイ手段とを有していてもよい。
【０００７】
前記データ記録装置は、前記マイコンの制御に応じてモードの選択とデータの
選択を行うデータ選択手段と、該データ選択手段から出力される信号に応じてク
ロックと制御信号を発生させるシステム制御手段と、該システム制御手段の制御
に応じて、入力されるアナログ信号をディジタル信号に変換し、かつ圧縮させる
データ圧縮手段と、該システム制御手段の制御に応じて、メモリ制御信号及びア
ドレスを発生させるメモリ制御手段と、該メモリ制御手段の制御に応じて、該デ
ータ圧縮手段から出力される圧縮データを貯蔵するメモリ手段と、該システム制
御手段の制御に応じて、該メモリ手段と前記分離可能な貯蔵手段との間のデータ
の入出力を行うインタフェース手段とを有していてもよい。
【０００８】
前記データ再生装置はさらに、前記マイコンから出力されるビデオデータをＤ
／Ａ変換するビデオ信号Ｄ／Ａ変換手段と、該ビデオ信号Ｄ／Ａ変換手段から出
力されるビデオデータを表示するディスプレイ手段とを有していてもよい。
【０００９】
前記フィルタ手段は、前記マイコンから出力されるオーディオＬチャンネル信
号をフィルタリングする第１のローパスフィルタ（ＬＰＦ）と、該マイコンから
出力されるオーディオＲチャンネル信号をフィルタリングする第２のローパスフ
ィルタ（ＬＰＦ）とを有していてもよい。
【００１０】
前記分離可能な貯蔵手段は、データを貯蔵するメモリアレーと、該メモリアレ
ーの領域を指定するアドレスを発生する発生手段と、該メモリアレーに貯蔵され
たデータの入出力機能を行うデータインタフェース手段と、該アドレス発生手段
と該データインタフェース手段とを制御する制御手段とを有していてもよい。
【００１１】
前記音声及び映像信号の記録／再生装置は、前記分離可能な貯蔵手段に電源を
供給する電源供給手段を有していてもよい。
【００１２】
本発明の音声及び映像信号の記録／再生方法では、キー信号が入力されると、
そのキー信号を判読するキー信号判読段階と、判読の結果、入力されたキー信号
が貯蔵信号であれば、入力されるデータを処理して分離可能な貯蔵部に貯蔵する
データ貯蔵段階と、判読の結果、入力されたキー信号が再生信号であれば、分離
可能な貯蔵部に貯蔵されたデータを再生して出力するデータ再生段階と、判読の
結果、入力されたキー信号が検索信号であれば、分離可能な貯蔵部に貯蔵された
データの内容の一覧を読み出して表示するデータ検索段階とを有しているので、
そのことにより前記目的が達成される。
【００１３】
前記データ貯蔵段階は、入力されるデータをＡ／Ｄ変換するＡ／Ｄ変換段階と
、該Ａ／Ｄ変換されたデータを符号化する符号化段階と、該符号化されたデータ
を分離可能な貯蔵部に貯蔵する貯蔵段階とを有していてもよい。
【００１４】
前記符号化段階は、前記Ａ／Ｄ変換されたディジタルオーディオデータを符号
化するディジタルオーディオデータ符号化段階と、前記Ａ／Ｄ変換されたディジ
タルビデオデータを符号化するディジタルビデオデータ符号化段階とを有してい
てもよい。
【００１５】
前記ディジタルオーディオデータ符号化段階は、前記Ｄ／Ａ変換されたディジ
タルオーディオデータをサブバンドサンプリングする段階と、該サブバンドサン
プリングされたデータを量子化し符号化する段階と、該符号化されたデータをパ
ックする段階とを有していてもよい。
【００１６】
前記ディジタルビデオデータ符号化段階は、前記Ｄ／Ａ変換されたビデオデー
タのフレームを再構成する段階と、該再構成されたデータから動き成分を検出し
て動きを推定する段階と、該動きが推定されたデータを特定周波数領域のデータ
に変換し符号化する段階とを有していてもよい。
【００１７】
前記データ再生段階は、前記データが貯蔵された分離可能な貯蔵部をアクセス
するアクセス段階と、該分離可能な貯蔵部に貯蔵されてアクセスされたデータを
復号化する復号化段階と、該復号化されたデータをＤ／Ａ変換するＤ／Ａ変換段
階と、該Ｄ／Ａ変換されたデータを出力する出力段階とを有していてもよい。
【００１８】
前記復号化段階は、前記分離可能な貯蔵部に貯蔵されてアクセスされたディジ
タルオーディオデータを復号化するディジタルオーディオデータ復号化段階と、
該分離可能な貯蔵部に貯蔵されてアクセスされたディジタルビデオデータを復号
化するディジタルビデオデータ復号化段階とを有していてもよい。
【００１９】
前記ディジタルオーディオデータ復号化段階は、前記分離可能な貯蔵部に貯蔵
されてアクセスされた圧縮オーディオデータをアンパックする段階と、該アンパ
ックされたデータを再構成する段階と、該再構成されたデータを逆サブバンドサ
ンプリングする段階とを有していてもよい。
【００２０】
前記ディジタルビデオデータ復号化段階は、前記分離可能な貯蔵部に貯蔵され
てアクセスされた圧縮ビデオデータを時間領域データに逆変換して復号化する段
階と、該復号化されたデータのフレームを貯蔵し再構成する段階とを有していて
もよい。
【発明の効果】
【００２１】
以上のように構成され、動作する本発明は、分離可能なメモリを使用するので
、デッキが不要になり、音声及び映像信号の記録／再生装置の超小型化及び軽量
化を達成できる。また、圧縮アルゴリズムを用いるので長時間の再生が可能であ
り、データの書込み及び消去が可能であるばかりでなく、雑音に強く、使用者が
所望するデータを容易に得ることができる。また、磁気媒体又はディスク媒体の
代替用として使用できる。
【発明を実施するための最良の形態】
【００２２】
以下、本発明の実施の形態を説明する。
【００２３】
本発明による音声及び映像信号の記録／再生装置は、図１に示すように、デー
タ記録装置１、分離可能な貯蔵部２１、及びデータ再生装置２を備えている。
【００２４】
データ記録装置１は、データ圧縮部１１、メモリ制御部１２、メモリ１３、シ
ステム制御部１４、データ選択部１５、及びインタフェース部１６を備えており
、音声及び映像信号を記録する。データ再生装置２は、マイコン２２、フィルタ
部２３、ビデオ信号Ｄ／Ａ（Ｄｉｇｉｔａｌ／Ａｎａｌｏｇ）変換部２４、ディ
スプレイ部２５、情報ディスプレイ部２６、及びキー入力部２７を備えており、
音声及び映像信号を再生する。分離可能な貯蔵部２１は、分離可能なメモリ型の
貯蔵装置であり、データ記録装置１から、圧縮された音声データと映像データの
提供を受けて、データ再生装置２で再生できるように貯蔵する。即ち、分離可能
な貯蔵部２１は、データ記録装置１によって記録され、データ再生装置２を通し
て、貯蔵されたデータを出力する。
【００２５】
ここで、データ圧縮部１１は、システム制御部１４の制御に応じて、入力され
るアナログ信号をディジタル信号に変換し、圧縮アルゴリズムによりデータ量を
減少させてメモリ１３に貯蔵する。システム制御部１４は、データ選択部１５か
ら出力される信号に基づいてクロックと制御信号を発生させるものであって、シ
ステム全体にクロックを提供し、データ選択部１５で選択されたデータをメモリ
制御部１２、インタフェース部１６、データ圧縮部１１に出力して、それぞれを
各機能に応じて起動させる。メモリ制御部１２は、システム制御部１４の制御に
応じて、メモリ１３に必要なメモリ制御信号とアドレスを発生させる。メモリ１
３は、大容量のデータを貯蔵できる大容量のメモリであって、メモリ制御部１２
の制御に応じて、データ圧縮部１１から出力される圧縮データを貯蔵しインタフ
ェース部１６に出力する。データ選択部１５は、マイコン２２の制御に応じてモ
ードの選択とデータの選択を行うものであって、マイコン２２の制御に応じて、
データを圧縮する機能や提供する機能を選択し、使用者の所望するデータを選択
するために、システム制御部１４にデータ選択信号を出力する。インタフェイス
部１６は、システム制御部１４の制御に応じてメモリ１３と分離可能な貯蔵部２
１との間でデータの入出力を行うものであって、メモリ１３からデータを受けて
、分離可能な貯蔵部２１に貯蔵したり、分離可能な貯蔵部２１からデータを受け
て、メモリ１３に貯蔵したりするインタフェース機能を有する。
【００２６】
マイコン２２は、キー入力部２７から出力される信号に応じて、入力される信
号を符号化及び復号化するものであって、Ａ／Ｄ変換機能とＤ／Ａ変換機能とを
有しており、外部から入力されるアナログ形態の音声データ及び映像データとデ
ィジタル形態の音声データ及び映像データを圧縮アルゴリズムにより符号化し復
号化する機能を有しているので、符号化及び復号化プロセスを代替することがで
きる。フィルタ部２３は、マイコン２２から出力されるオーディオ信号をフィル
タリングするものであって、マイコン２２から出力されるオーディオＬチャンネ
ル（Ｌｅｆｔ  Ｃｈａｎｎｅｌ）信号をフィルタリングするローパスフィルタ（
ＬＰＦ）２３１と、マイコン２２から出力されるオーディオＲチャンネル（Ｒｉ
ｇｈｔ  Ｃｈａｎｎｅｌ）信号をフィルタリングするローパスフィルタ（ＬＰＦ
）２３２とから構成され、音声出力のためにマイコン２２から出力されるデータ
の雑音を除去し、可聴周波数帯のデータのみを通過させる機能を有する。ビデオ
信号Ｄ／Ａ変換部２４は、マイコン２２から出力されるビデオデータをＤ／Ａ変
換し、ディスプレイ部２５は、ビデオ信号Ｄ／Ａ変換部２４から出力されるビデ
オデータを表示する。キー入力部２７は、使用者のキー操作に基づいて各種機能
の信号を発生させて機能に応じてモードを選択するようにマイコン２２に制御信
号を出力する。情報ディスプレイ部２６は、マイコン２２から出力される信号に
基づいて検索された情報を表示する。
【００２７】
その他に、電源供給部（図示せず）を別途設置することで、分離可能な貯蔵部
２１に電源を供給し、貯蔵データが消去されないようにする場合もある。
【００２８】
次に、前記構成を有する音声及び映像信号の記録／再生装置の動作を説明する
。
【００２９】
まず、データを再生するデータ再生装置２の動作を詳細に説明する。キー入力
部２７で再生、検索、繰り返し、演奏等の機能キーを入力すると、マイコン２２
はこれを受信して、アドレス及び制御信号を分離可能な貯蔵部２１に出力する。
分離可能な貯蔵部２１では、マイコン２２から出力されるアドレス及び制御信号
に応じて、圧縮音声データをマイコン２２に出力する。分離可能な貯蔵部２１か
ら出力される圧縮音声データは、マイコン２２で復号化されＤ／Ａ変換されてフ
ィルタ部２３のローパスフィルタ２３１、２３２を介してスピーカに出力される
。なお、外部からアナログ信号が入力されると、マイコン２２でＡ／Ｄ変換し、
圧縮アルゴリズムによりデータの量を減らして、分離可能な貯蔵部２１に貯蔵す
ることもできる。即ち、キー入力部２７で入力される信号が貯蔵モードの場合、
マイコン２２は入力されるアナログ信号をＡ／Ｄ変換し、圧縮アルゴリズムによ
り符号化してデータの量を減少させた後、分離可能な貯蔵部２１に貯蔵する。な
お、キー入力部２７で入力される信号が再生モードの場合、マイコン２２はメモ
リアクセスのための制御信号とアドレスを発生させて、分離可能な貯蔵部２１か
らデータを読み出して復号化しＤ／Ａ変換した後、フィルタ部２３のローパスフ
ィルタ２３１、２３２に出力する。なお、キー入力部２７で入力される信号が検
索モードの場合、マイコン２２は、分離可能な貯蔵部２１の貯蔵領域の中から、
各データの始まりと終わりの情報や曲情報を含む内容の一覧を読み出して、情報
ディスプレイ部２６に出力する。なお、映像信号の場合、分離可能な貯蔵部２１
からビデオデータを受けて、マイコン２２で復号化し、ビデオ信号Ｄ／Ａ変換部
２４でＤ／Ａ変換して、ディスプレイ部２５に出力することもできる。
【００３０】
以下、データを記録するデータ記録装置１の動作を詳細に説明する。メモリ１
３から分離可能な貯蔵部２１にデータを出力したり入力するためには、あるいは
アナログ信号をデータ圧縮部１１を介してメモリ１３に貯蔵するためには、各モ
ードに対する情報がデータ選択部１５に入力されなければならない。即ち、キー
入力部２７からマイコン２２に入力された信号、即ち各モードに対する情報はマ
イコン２２からデータ選択部１５に入力される。マイコン２２から出力される各
モードに対する情報により、データ選択部１５で圧縮機能または提供機能が選択
され、使用者の所望するデータを選択するためにシステム制御部１４にデータ選
択信号が出力される。データ選択部１５が、入力されるアナログ信号の貯蔵モー
ドを示すと、システム制御部１４から制御信号が出力され、その入力されるアナ
ログ信号は、データ圧縮部１１で圧縮されてデータの量を減らし、メモリ制御部
１２は、貯蔵するためにメモリ１３の領域を指定し、指定された領域にデータ圧
縮部１１から出力される信号が貯蔵される。また、データ選択部１５が再生モー
ドを示すと、データ選択部１５で選択したデータを得るために、システム制御部
１４から制御信号が出力され、これをメモリ制御部１２で入力した後、メモリ１
３に制御信号とアドレス信号を送り、メモリ１３をアクセスして読み出した後、
インタフェース部１６にダウンローディング（Ｄｏｗｎ  Ｌｏａｄｉｎｇ）して
、分離可能な貯蔵部２１に貯蔵する。なお、データ選択部１５が、分離可能な貯
蔵部２１からデータをメモリ１３に貯蔵する貯蔵モードを示すと、システム制御
部１４から制御信号が出力され、インタフェース部１６で、システム制御部１４
から出力される制御信号に応じて、分離可能な貯蔵部２１からデータが読み出さ
れ、システム制御部１４から出力される制御信号に応じて貯蔵領域を指定するメ
モリ制御部１２の制御に応じて、インタフェース部１６を介して分離可能な貯蔵
部２１から読み出されたデータが、メモリ制御部１２で指定した貯蔵領域に書き
込まれる。また、データ選択部１５が検索モードを示すと、システム制御部１４
からメモリ制御部１２とインタフェース部１６に制御信号が出力され、メモリ１
３の貯蔵領域のうち、各データの始まりと終わりの情報や曲情報を貯蔵している
内容の一覧が読み出され、それらはインタフェース部１６、分離可能な貯蔵部２
１、マイコン２２を介して情報ディスプレイ部２６に出力される。
【００３１】
図２は図１における分離可能な貯蔵部２１の詳細な構成図である。分離可能な
貯蔵部２１は図２に示すように、メモリアレー２１１、アドレス発生部２１２、
制御部２１３、及びデータインタフェース部２１４を備えている。メモリアレー
２１１は、メモリセルで構成されており、圧縮データを貯蔵する。アドレス発生
部２１２は、メモリアレー２１１の領域を指定するアドレスを発生する。データ
インタフェース部２１４は、メモリアレー２１１に貯蔵されたデータの入出力機
能を行うものであって、外部とメモリアレー２１１との間のデータ伝送を並列（
Ｐａｒａｌｌｅｌ）に行う。制御部２１３は、アドレス発生部２１２とデータイ
ンタフェース部２１４とを制御するもので、アドレスの発生を制御し、データの
入出力を制御する。
【００３２】
このように構成される分離可能な貯蔵部２１の動作を詳細に説明する。制御部
２１３からデータの入出力のために制御信号が出力されると、アドレス発生部２
１２で当該アドレスが発生されて、メモリアレー２１１の領域が指定される。こ
のようにメモリアレー２１１の指定領域に貯蔵されたデータは、データインタフ
ェース部２１４を介して出力される。また、外部から入力されるデータは、前述
したようにメモリアレー２１１の指定領域に入力されて貯蔵される。
【００３３】
本発明によるメモリ貯蔵及び再生方法を図３、図４、図５、図６、図７を参照
して説明する。
【００３４】
先ず、図３を参照してメモリ貯蔵及び再生方法を概略的に説明する。使用者が
キー入力部２７にキー信号を入力すると、入力されたキー信号を判読するキー信
号判読段階３０、３１が行われる。
【００３５】
判読の結果、入力されたキー信号が貯蔵信号であれば、入力されるデータを処
理して分離可能な貯蔵部に貯蔵するデータ貯蔵段階３２、３３、３４が行われる
。ここで、データ貯蔵段階では、入力されるデータをＡ／Ｄ変換するＡ／Ｄ変換
段階３２と、Ａ／Ｄ変換されたデータを符号化する符号化段階３３と、符号化さ
れたデータを分離可能な貯蔵部に貯蔵する貯蔵段階３４が行われる。ここで、符
号化段階３３では、Ａ／Ｄ変換されたディジタルオーディオデータを符号化する
ディジタルオーディオデータ符号化段階と、Ａ／Ｄ変換されたディジタルビデオ
データを符号化するディジタルビデオデータ符号化段階とが行われる。
【００３６】
また、判読の結果、入力されたキー信号が再生信号であれば、分離可能な貯蔵
部に貯蔵されたデータを再生して出力するデータ再生段階３５、３６、３７、３
８が行われる。ここで、データ再生段階では、データが貯蔵された分離可能な貯
蔵部をアクセスするアクセス段階３５と、分離可能な貯蔵部に貯蔵されてアクセ
スされたデータを復号化する復号化段階３６と、復号化されたデータをＤ／Ａ変
換するＤ／Ａ変換段階３７と、Ｄ／Ａ変換されたデータを出力する出力段階３８
とが行われる。ここで、復号化段階３６では、分離可能な貯蔵部に貯蔵されてア
クセスされたディジタルオーディオデータを復号化するディジタルオーディオデ
ータ復号化段階と、分離可能な貯蔵部に貯蔵されてアクセスされたディジタルビ
デオデータを復号化するディジタルビデオデータ復号化段階とが行われる。
【００３７】
また、判読の結果、入力されたキー信号が検索信号であれば、分離可能な貯蔵
部に貯蔵されたデータの内容の一覧を読み出して表示するデータ検索段階３９、
４０が行われる。ディジタルオーディオデータ符号化段階では、図４に示すよう
に、Ｄ／Ａ変換されたディジタルオーディオデータをサブバンドサンプリングす
る段階４１、４２と、サブバンドサンプリングされたデータを量子化し符号化す
る段階４３と、符号化されたデータをパックする段階４４とが行われる。即ち、
ディジタルオーディオデータが入力されると、オーディオデータを幾つの領域に
分けるサブバンドサンプリングを行い（段階４１、４２）、人間の聴覚特性に基
づいてデータを量子化し符号化した後、必要な他の情報を加えて真のデータをパ
ックするパック手続きを経て、圧縮オーディオデータを出力する（段階４３、４
４）。
【００３８】
なお、ディジタルオーディオデータ復号化段階では、図５に示すように、分離
可能な貯蔵部に貯蔵されてアクセスされた圧縮オーディオデータをアンパックす
る段階４５、４６と、アンパックされたデータを再構成する段階４７と、再構成
されたデータを逆サブバンドサンプリングする段階４８とが行われる。即ち、圧
縮されたオーディオデータが入力されると（段階４５）、多様な操作の情報を再
生するために必要な情報のみを抜きとるアンパックを行い（段階４６）、アンパ
ックされたデータを再構成する再構成動作を行った後（段階４７）、様々な周波
数領域のデータを逆サブバンドサンプリングしてさらに真のオーディオデータに
再生して出力する（段階４８）。
【００３９】
なお、ディジタルビデオデータ符号化段階では、図６に示すように、Ｄ／Ａ変
換されたビデオデータのプレームを再構成する段階５０、５１と、再構成された
データから動き成分を検出して動きを推定する段階５２と、動きが推定されたデ
ータを特定周波数領域のデータに変換し符号化する段階５３とが行われる。即ち
、ディジタルビデオデータが入力されると、ビデオデータを幾つかの画面に分け
て出力の順序を決めフレームを再構成した後（段階５０、５１）、現在の画面と
以前の画面を比べて動き成分を検出して動きを推定し（段階５２）、検出された
動き成分に応じて時問領域データを周波数領域のデータに変換し、データ量を減
少するための符号化を行って（段階５３）、圧縮されたビデオデータを出力する
。
【００４０】
なお、ディジタルビデオデータ復号化段階では、図７に示すように、分離可能
な貯蔵部に貯蔵されてアクセスされた圧縮ビデオデータを時問領域データに逆変
換し復号化する段階５４、５５と、復号化されたデータのフレームを貯蔵し再構
成する段階５６とが行われる。即ち、圧縮されたビデオデータが入力されると（
段階５４）、符号化過程の逆順に周波数領域のデータを時問領域データに逆変換
し復号化を行った後（段階５５）、貯蔵し検出された動きに応じてフレームを再
構成して、再生の画像データを出力する（段階５６）。
【図面の簡単な説明】
【００４１】
【図１】本発明による音声及び映像信号の記録／再生装置の構成図である。
【図２】上記音声及び映像信号の記録／再生装置における、分離可能な貯蔵部の細部構成図である。
【図３】本発明による音声及び映像信号の記録／再生方法のフローチャートである。
【図４】上記音声及び映像信号の記録／再生方法における、ディジタルオーディオデータの符号化段階を示す詳細なフローチャートである。
【図５】上記音声及び映像信号の記録／再生方法における、ディジタルオーディオデータの復号化段階を示す詳細なフローチャートである。
【図６】上記音声及び映像信号の記録／再生方法における、ディジタルビデオデータの符号化段階を示す詳細なフローチャートである。
【図７】上記音声及び映像信号の記録／再生方法における、ディジタルビデオデータの復号化段階を示す詳細なフローチャートである。
【符号の説明】
【００４２】
１  データ記録装置
２  データ再生装置
１１  データ圧縮部
１２  メモリ制御部
１３  メモリ
１４  システム制御部
１５  データ選択部
１６  インタフェース部
２１  分離可能な貯蔵部
２２  マイコン
２３  フィルタ部
２４  ビデオ信号Ｄ／Ａ変換部
２５  ディスプレイ部
２６  情報ディスプレイ部
２７  キー入力部
２１１  メモリアレー
２１２  アドレス発生部
２１３  制御部
２１４  データインタフェース部
２３１、２３２  ローパスフィルタ（ＬＰＦ）
【図１】
2008259249.tif 000003
【図２】
2008259249.tif 000004
【図３】
2008259249.tif 000005
【図４】
2008259249.tif 000006
【図５】
2008259249.tif 000007
【図６】
2008259249.tif 000008
【図７】
2008259249.tif 000009